(57)【要約】  【課題】アジャスターの存在によってハンマー等による打込部材の打ち込み作業に支障を生じることがなく、その打ち込み作業を容易に行うことができる樹木の支持施工方法と、その支持施工方法に用いる根鉢用固定用具を提供することを課題とする。  【解決手段】根鉢の載置部分となる固定部材と、固定部材に対して移動可能に構成された移動部材とで構成された根鉢用載置体上に根鉢を載置し、根鉢の大きさに合わせて固定部材に移動可能に取り付けられたアジャスターによって位置を調整しつつ、アジャスターを介して固定部材に連結された根鉢側面用支持体を根鉢の側面に接触させて根鉢を固定することにより樹木を支持施工する樹木の支持施工方法において、アジャスターが固定部材に対し、移動部材の移動方向と交差する方向に傾倒可能に構成されていることを特徴とする。【選択図】図２１
2007222104.tif 000002
【特許請求の範囲】
【請求項１】
根鉢の載置部分となる固定部材５と、該固定部材５に対して移動可能に構成された移動部材６とで構成された根鉢用載置体１上に根鉢を載置し、該根鉢の大きさに合わせて前記固定部材５に移動可能に取り付けられたアジャスター３によって位置を調整しつつ、該アジャスター３を介して前記固定部材５に連結された根鉢側面用支持体２を前記根鉢の側面に接触させて根鉢を固定することにより樹木を支持施工する樹木の支持施工方法において、前記アジャスター３が、前記固定部材５に対し、前記移動部材６の移動方向と交差する方向に傾倒可能に構成されていることを特徴とする樹木の支持施工方法。
【請求項２】
アジャスター３が、固定部材５に外嵌できるような大きさの円筒状に形成されたアジャスター軸部１３と、該アジャスター軸部１３に固着されたアジャスターフレーム１４とで構成されている請求項１記載の樹木の支持施工方法。
【請求項３】
根鉢側面用支持体２に折曲線部１２が形成され、該折曲線部１２を介して
支持体頭部２ａと支持体胴部２ｂとに区画して形成され、該折曲線部１２を介して支持体頭部２ａが支持体胴部２ｂに対して折曲可能に形成されている請求項１又は２記載の樹木の支持施工方法。
【請求項４】
根鉢の載置部分となる固定部材５と該固定部材５に対して移動可能に構成された移動部材６とで構成された根鉢用載置体１と、前記根鉢の側面に接触させて該根鉢の側面を支持するための根鉢側面用支持体２と、前記根鉢の大きさに合わせて前記固定部材５に対して移動可能となるべく、前記根鉢用載置体１と根鉢側面用支持体２とに掛け渡されるアジャスター３とからなる根鉢用固定用具であって、前記アジャスター３が、前記固定部材５に対し、前記移動部材６の移動方向と交差する方向に傾倒可能に構成されていることを特徴とする根鉢用固定用具。
【請求項５】
アジャスター３が、固定部材５に外嵌できるような大きさの円筒状に形成されたアジャスター軸部１３と、該アジャスター軸部１３に固着されたアジャスターフレーム１４とで構成されている請求項４記載の根鉢用固定用具。
【請求項６】
根鉢側面用支持体２に折曲線部１２が形成され、該折曲線部１２を介して
支持体頭部２ａと支持体胴部２ｂとに区画して形成され、該折曲線部１２を介して支持体頭部２ａが支持体胴部２ｂに対して折曲可能に形成されている請求項４又は５記載の根鉢用固定用具。
【発明の詳細な説明】
【技術分野】
【０００１】
本発明は、樹木の支持施工方法とその支持施工方法に使用する根鉢用固定用具、さらに詳しくは、樹木の根鉢を土で埋設して樹木を支持施工するための、樹木の支持施工方法と、そのような樹木の支持施工方法に用いる根鉢用固定用具に関するものである。
【背景技術】
【０００２】
従来、この種の樹木を支持施工する方法として、たとえば下記特許文献１に記載された発明がある。すなわち、この支持施工方法は、拡縮自在に形成された根鉢用載置体上に根鉢を載置し、次に根鉢に紐材を架け回すとともに、該紐材の端部を根鉢用載置体に取り付けることにより、樹木の根元部を支持して施工する方法である。そして、拡縮自在な根鉢用載置体を用いることで、根鉢の大きさに応じて根鉢用載置体の大きさを自在に調整できるようにしたものである。
【０００３】
ところで、このような根鉢用載置体に紐材の端部を取り付けるに際し、特許文献１には特に明示されていないが、実際にはアジャスターと称される、根鉢の大きさに応じて取り付け位置を調整しうる用具を介して根鉢用載置体と紐材とが連結されていた。さらに根鉢用載置体は、スライド自在なスライド杆を有するとともに、そのスライド杆の先端側に打込部材が取り付けられ、
その打込部材をハンマー等によって植穴の側壁面に打ち込むことによって根鉢用載置体が固定されていた。
【０００４】
しかしながら、上記のようなアジャスターは、根鉢用載置体と紐材とに架け渡されているので、スライド杆がスライドする方向に配置されている根鉢用載置体上に位置することとなり、そのために上記アジャスターが支障となって、上記のようなハンマー等による打込部材の打ち込み作業が行いにくくなるという問題点があった。
【０００５】
【特許文献１】特開平７−８７８５４号公報
【発明の開示】
【発明が解決しようとする課題】
【０００６】
本発明は、このような問題点をすべて解決するためになされたもので、上記のようなアジャスターを利用しながらも、そのアジャスターの存在によってハンマー等による打込部材の打ち込み作業に支障を生じることがなく、その打ち込み作業を容易に行うことができる樹木の支持施工方法と、その支持施工方法に用いる根鉢用固定用具を提供することを課題とするものである。
【課題を解決するための手段】
【０００７】
本発明は、このような課題を解決するために、樹木の支持施工方法と、その支持施工方法に用いる根鉢用固定用具としてなされたもので、樹木の支持施工方法に係る請求項１記載の発明は、根鉢の載置部分となる固定部材５と、該固定部材５に対して移動可能に構成された移動部材６とで構成された根鉢用載置体１上に根鉢を載置し、該根鉢の大きさに合わせて前記固定部材５に移動可能に取り付けられたアジャスター３によって位置を調整しつつ、該アジャスター３を介して前記固定部材５に連結された根鉢側面用支持体２を前記根鉢の側面に接触させて根鉢を固定することにより樹木を支持施工する樹木の支持施工方法において、前記アジャスター３が、前記固定部材５に対し、前記移動部材６の移動方向と交差する方向に傾倒可能に構成されていることを特徴とする
【０００８】
また請求項２記載の発明は、請求項１記載の樹木の支持施工方法において、アジャスター３が、固定部材５に外嵌できるような大きさの円筒状に形成されたアジャスター軸部１３と、該アジャスター軸部１３に固着されたアジャスターフレーム１４とで構成されていることを特徴とする。さらに請求項３記載の発明は、請求項１又は２記載の樹木の支持施工方法において、根鉢側面用支持体２に折曲線部１２が形成され、該折曲線部１２を介して支持体頭部２ａと支持体胴部２ｂとに区画して形成され、該折曲線部１２を介して支持体頭部２ａが支持体胴部２ｂに対して折曲可能に形成されていることを特徴とする。
【０００９】
さらに根鉢用固定用具に係る請求項４記載の発明は、根鉢の載置部分となる固定部材５と該固定部材５に対して移動可能に構成された移動部材６とで構成された根鉢用載置体１と、前記根鉢の側面に接触させて該根鉢の側面を支持するための根鉢側面用支持体２と、前記根鉢の大きさに合わせて前記固定部材５に対して移動可能となるべく、前記根鉢用載置体１と根鉢側面用支持体２とに掛け渡されたアジャスター３とからなる根鉢用固定用具であって、前記アジャスター３が、前記固定部材５に対し、前記移動部材６の移動方向と交差する方向に傾倒可能に構成されていることを特徴とする。
【００１０】
さらに請求項５記載の発明は、請求項４記載の根鉢用固定用具において、アジャスター３が、固定部材５に外嵌できるような大きさの円筒状に形成されたアジャスター軸部１３と、該アジャスター軸部１３に固着されたアジャスターフレーム１４とで構成されていることを特徴とする。さらに請求項６記載の発明は、請求項４又は５記載の根鉢用固定用具において、根鉢側面用支持体２に折曲線部１２が形成され、該折曲線部１２を介して支持体頭部２ａと支持体胴部２ｂとに区画して形成され、該折曲線部１２を介して支持体頭部２ａが支持体胴部２ｂに対して折曲可能に形成されていることを特徴とする。
【発明の効果】
【００１１】
本発明は、上述のように、根鉢の載置部分となる固定部材と該固定部材に対して移動可能に構成された移動部材とで構成された根鉢用載置体と、前記根鉢の側面に接触させて該根鉢の側面を支持するための根鉢側面用支持体と、前記根鉢の大きさに合わせて前記固定部材に対して移動可能となるべく、前記根鉢用載置体１と根鉢側面用支持体とに掛け渡されるアジャスターとからなる根鉢用固定用具であって、前記アジャスターが、前記固定部材に対し、前記移動部材の移動方向と交差する方向に傾倒可能に構成されているものであるため、アジャスターを移動部材の移動方向と交差する方向に傾倒させることで、ハンマー等で移動部材を打設等する作業を行う場合、前記アジャスター３が支障となることがなく、その打設作業を容易に行うことができる。
このため、移動部材の先端側に設けられた打込部材等をたとえば植穴の側壁面へ打込むような場合に、その打込作業を容易に行うことができるという効果がある。
【００１２】
また、アジャスターを固定部材に対して移動部材の移動方向と交差する方向に傾倒させることができるので、固定部材上に根鉢を載置する場合にもその載置する作業を容易に行うことができる。
【００１３】
さらに、アジャスターが、固定部材に外嵌できるような大きさの円筒状に形成されたアジャスター軸部と、該アジャスター軸部に固着されたアジャスターフレームとで構成されている場合には、そのアジャスター軸部を固定部材に外嵌させ、アジャスター軸部を中心として、アジャスターフレームを固定部材に対して横向きに回動させることで、上記のようにアジャスターを移動部材の移動方向と交差する方向に傾倒させるような構造を、きわめて簡単な構造で実現することができ、またアジャスター軸部を中心としてアジャスターフレームを回動させるだけでアジャスターを傾倒させることができるので、その傾倒させる作業を容易に行うことができる。
【００１４】
また、円筒状のアジャスター軸部が固定部材に外嵌されているので、固定部材上を安定した状態で移動させることができるという効果がある。また、アジャスター軸部が円筒状に形成されているので、地面との設置面積が少なく、アジャスター軸部を固定部材に対してスライドさせる際の抵抗が少ないこととなり、アジャスターを移動させる際の作業が容易となる。
【発明を実施するための最良の形態】
【００１５】
以下、本発明の実施形態について図面に従って説明する。先ず、一実施形態としての樹木の支持施工における根鉢用固定用具の構成について説明する。
本実施形態の根鉢用固定用具は、図１乃至図９に示すように、根鉢を載置するための根鉢用載置体１と、根鉢の側面に接触させて該根鉢の側面を支持するための４個の根鉢側面用支持体２と、前記根鉢用載置体１と根鉢側面用支持体２とに掛け渡された４個のアジャスター３と、前記根鉢側面用支持体２の上部に掛け回わされて根鉢を支持する支持ベルト４とからなる。
【００１６】
根鉢用載置体１は、図１及び図２に示すように、根鉢の直接的な載置部分となる固定部材５と、該固定部材５に対して移動可能に構成された移動部材６とで構成されている。前記固定部材５は、図１乃至図３のように断面四角形状の細長い四角筒状に形成された２本の枠杆７、７を平面略十字状に交差させて形成されている。
【００１７】
また移動部材６は、前記固定部材５の枠杆７にスライド自在に挿入されるスライド杆８と、該スライド杆８の先端側に取り付けられた打込部材９とからなる。打込部材９は、図１及び図２に示すように、２つの直角部分９ａ、９ａと、２つの鈍角部分９ｂ、９ｂと、１つの鋭角部分９ｃとからなり、その１つの鋭角部分９ｃが先端側とされて、該先端側の鋭角部分９ｃによって、根鉢が収納される植穴の側壁面に打ち込み可能となるように構成されている。
【００１８】
また、この打込部材９は、板状に形成されており、植穴の底面に載置された際に、その植穴の底面における土に対して抵抗を生じさせるような機能をも奏するものである。さらに、前記スライド杆８と打込部材９との連設部分には、図４に示すようにハンマーで打設するための打設体１８が上向きに突設されている。
【００１９】
根鉢側面用支持体２は、図５に示すように支持体中央片２ｃの上部の左右両側に１対の支持体側片２ｄ、２ｄを溶接により固着して全体が略Ｔ字状に形成されている。そして、前記支持体中央片２ｃにおける支持体側片２ｄ、２ｄが固着された部分の直下に折曲線部１２が形成され、該折曲線部１２の上側が支持体頭部２ａ、下側が支持体胴部２ｂとして形成されている。前記
支持体胴部２ｂは比較的幅が狭く形成されており、前記支持体頭部２ａは該支持体胴部２ｂに比べて幅広に形成されている。
【００２０】
前記折曲線部１２は、図６に示すように前記支持体中央片２ｃを構成する鋼材の一部を湾曲させて形成された湾曲部１２ａ内に軸１２ｂを挿通させて構成され、それによって前記支持体頭部２ａが支持体胴部２ｂに対して折曲可能に形成されている。根鉢側面用支持体２を構成する支持体中央片２ｃと支持体側片２ｄとはともに板状の部材であるが、支持体中央片２ｃには複数（本実施形態では５個）の四角形の孔が穿設されており、それらの孔のうち、４個の孔１０ｂ、…は同じ大きさに形成され、最上部の孔１０ａは、他の孔１０ｂよりも大きく形成されている。前記折曲線部１２は、この最上部の孔１０ａの略中央の位置に形成されている。
【００２１】
このように根鉢側面用支持体２は折曲線部１２を介して折曲可能に形成されているので、根鉢の側面の形状に沿って当接させることができる。この根鉢側面用支持体２において、折曲線部１２が根鉢の肩部近辺に位置し、支持体頭部２ａが根鉢の上部に接触するように、支持体胴部２ｂが根鉢に当接させて用いられる。
【００２２】
アジャスター３は、根鉢用載置体１に対する根鉢側面用支持体２の位置を調整することにより、根鉢の大きさに合わせて根鉢側面用支持体２を根鉢に当接させることができるようにするためのものである。このアジャスター３は、図７及び図８に示すように、前記固定部材５の枠杆７に外嵌できるような大きさの円筒状に形成されたアジャスター軸部１３と、該アジャスター軸部１３に固着されたアジャスターフレーム１４とで構成されている。
【００２３】
このアジャスターフレーム１４は、細い鋼材を底部１４ａで折り曲げ、その折り曲げられた底部１４ａが前記軸部１３の外周に沿って固着され、且つ該軸部１３から１対の鋼材部分が平行に配置されるように構成されている。そして、該アジャスターフレーム１４の１対の鋼材部分の上部には、板状部材を折り曲げて形成した係止片１５が形成されている。この折り曲げられた係止片１５は、幅の異なる長片１５ａと短片１５ｂとからなり、その係止片１５の略中央にはボルト２０が前記短片１５ｂ側から長片１５ａ側に挿通されるように止着されている。
【００２４】
支持ベルト４は、図９に示すように合成繊維、天然繊維、若しくは合成樹脂等からなる平らなベルトボディ１６と、該ベルトボディ１６の両端側に取り付けられた止具１７とで構成されている。
【００２５】
次に、上記のような構成からなる根鉢用固定用具を用いて樹木の支持施工を行う樹木の支持施工方法の実施形態について説明する。上記のような根鉢用固定用具は、植穴の底壁面に設置して使用されるものである。そして、上記のような各構成部材によって根鉢用固定用具が組み立てられる。
【００２６】
すなわち、前記スライド杆８が枠杆７に挿入されることによって、移動部材６が固定部材５に一体化されて根鉢用載置体１が形成され、さらに図１０に示すようにアジャスター軸部１３が固定部材５の枠杆７に外嵌されることによって、アジャスター３が前記根鉢用載置体１に連結される。このようにして４個のアジャスター３が図１１及び図１２のように固定部材５に取り付けられて該固定部材５上に立設されることとなる。
【００２７】
このようにして組み立てられた根鉢用固定用具が植穴の底壁面に設置された状態で、打込部材９を植穴の側壁面に打ち込む。この打ち込みは、打設体１８をハンマーで打設することによって行う。この場合において、本実施形態では、図１１及び図１２に示すように、アジャスター３が根鉢用載置体１の固定部材５の枠杆７上に立設され、また前記打設体１８は前記枠杆７に挿入されるスライド杆８の先端側に設けられているため、この打設体１８をハンマーで打設する作業を行う場合、前記根鉢側面用支持体２を立設されているアジャスター３の存在が支障となって、ハンマーでの打設作業が行いにくくなる。
【００２８】
しかしながら、本実施形態のアジャスター３は、略円筒状のアジャスター軸部１３に、１対の鋼材部分が平行に配置されるようなアジャスターフレーム１４が固着されて構成されたものであり、そのアジャスター軸部１３が固定部材５の枠杆７に外嵌されて構成されたものであるため、図１３に示すように、アジャスター軸部１３を中心として、アジャスターフレーム１４を枠杆７に対して横向きに回動させることが可能となる。
この結果、ハンマーで打設体１８を打設する作業を行う場合、前記アジャスター３が支障となることがなく、打設体１８の打設作業を容易に行うことができる。これによって、図１４に示すように打込部材９を植穴の側壁面に容易に打ち込むことができるのである。
【００２９】
次に、上記のようにして、打込部材９を植穴２１の側壁面２２に打ち込んだ後、アジャスター３のアジャスターフレーム１４を逆方向に回動させて再度枠杆７上に起立させ、その状態で図１５に示すようにアジャスター３に前記根鉢側面用支持体２を取り付ける。より具体的には、アジャスターフレーム１４の上部に取り付けられた係止片１５を、支持体胴部２ｂにおける２個の孔１０ｂ、１０ｂに跨がるようにして前記前記根鉢側面用支持体２の背面側に係止させる。本実施形態では、計５個の孔のうち、上から２番目の孔１０ｂと３番目の孔１０ｂとに跨がるようにアジャスター３の係止片１５が係止される。ただし、何番目の孔１０ｂに跨がるようにアジャスター３の係止片１５を係止させるかは任意に変更可能であり、係止片１５を係止させる孔１０ｂの位置によって、根鉢側面用支持体２の高さが変わることになる。従って、支持する根鉢の高さに応じて根鉢側面用支持体２の高さを調節することができる。
【００３０】
さらにボルト２０を係止片１５に挿通することによって、孔１０ｂ、１０ｂに跨がって係止されている係止片１５が支持体胴部２ｂから離脱するのが禁止される。これによって、図１５に示すように、根鉢側面用支持体２がアジャスター３に連結されることとなる。そして、図１６及び図１７に示すように、４個の根鉢側面用支持体２をすべてアジャスター３のアジャスターフレーム１４に取り付ける。
【００３１】
次に、上記のようにして、根鉢側面用支持体２をアジャスター３に取り付けた後、根鉢を根鉢用載置体１に載置する。この場合、根鉢側面用支持体２は、図１８に示すようにアジャスター３とともに、予め傾倒させておく。すなわち、上述のようにアジャスター３のアジャスター軸部１３を中心に、アジャスターフレーム１４を回動させることができるので、根鉢側面用支持体２もアジャスター３とともに傾倒させることができるのである。
【００３２】
このようにアジャスター３のアジャスターフレーム１４を枠杆７に対して横向きに回動させて傾倒させることにより、根鉢を根鉢用載置体１に載置する作業にも支障を生じさせないこととなる。
【００３３】
次に、アジャスターフレーム１４を逆方向に回動させてアジャスター３及び根鉢側面用支持体２を再度起立させる。この場合、アジャスター３の位置は、図１９に示すように、予め根鉢２３から離間するように設定されている。
そして、図２０に示すように、固定部材５の枠杆７に沿ってアジャスター３のアジャスター軸部１３を移動させることにより、根鉢側面用支持体２を根鉢の側面に当接する。この場合において、アジャスター軸部１３は略円筒状に形成されたものであって、枠杆７に外嵌されているので、その枠杆７上を容易に移動させることができる。また、アジャスター軸部１３が略円筒状に形成されているので、植穴２１の底部の地面との設置面積が少なく、アジャスター軸部１３を枠杆７に対してスライドさせる際の抵抗が少ないこととなり、この点でもアジャスター軸部１３を移動させる際の作業が容易となる。
図２１には、４個の根鉢側面用支持体２をすべて根鉢の側面に当接した全体の状態を示している。
【００３４】
次に、上記のようにして根鉢側面用支持体２を根鉢の側面に当接させた後、該根鉢側面用支持体２の折曲線部１２ａを介して支持体上部２ａを折り曲げる。これによって、図２２に示すように、根鉢側面用支持体２の支持体上部２ａが根鉢の上部に沿って当接し、また支持体中央部２ｂは図２０及び図２１のように根鉢の側面に当接した状態となり、根鉢側面用支持体２の全体を根鉢に沿わせて当接させることができるのである。
【００３５】
次に、図２２に示すように、４個の根鉢側面用支持体２の支持体上部２ａに支持ベルト４を架け回す。この場合、支持ベルト４はウインチ（図示せず）によって締め付ける。これによって、根鉢の上面側が支持ベルト４によって支持され、さらに支持ベルト４の締付力によって、根鉢側面用支持体２が根鉢側に押圧され、根鉢側面用支持体２がより確実に固定されることとなる。
【００３６】
その後、植穴内に土を埋め、植穴を閉塞する。これによって樹木の支持施工が完了する。
【００３７】
尚、上記実施形態では、根鉢用載置体１の固定部材５が２本の枠杆７、７を平面略十字状に交差させて形成されていたが、固定部材５の形状はこれに限定されるものではなく、たとえば４本の枠杆７で平面略四角形状に形成されていてもよく、また３本の枠杆７で平面略三角形状に形成されていてもよく、その形状は問わない。さらに枠杆７の断面形状も該実施形態の四角形状に限定されるものではない。
【００３８】
さらに、上記実施形態では固定部材５の枠杆７にスライド自在に挿入されるスライド杆８と、該スライド杆８の先端側に取り付けられた打込部材９とで移動部材６が構成されていたが、移動部材６の構成もこれに限定されない。
たとえば、該実施形態では打込部材９を平面略五角形状に形成し、植穴の側壁面に対する打ち込みの機能と、底面に対する抵抗板としての機能との双方の機能を具備させたが、これに限らず、たとえば抵抗板には抵抗板としての機能のみを具備させ、その抵抗板とは別に細長い打込部材を設けて移動部材を構成することも可能である。
【００３９】
さらに、上記実施形態においては、根鉢側面用支持体２が、支持体中央片２ｃに、別体の支持体側片２ｄを溶接により固着して構成されていたが、これに限らず一体形成されていてもよい。また該実施形態では、根鉢側面用支持体２の全体が略Ｔ字状に形成されていたが、根鉢側面用支持体２の形状も該実施形態に限定されるものではなく、たとえば長方形状等に形成されたものであってもよい。
【００４０】
さらに、該実施形態では、根鉢側面用支持体２に複数の四角形の孔１０ａ、１０ｂ…が穿設されていたが、このような孔を穿設することは本発明に必須の条件ではない。たとえば根鉢側面用支持体２は上記のような孔のない単なるプレート状に形成されていてもよい。ただし複数の孔が穿設されていると、アジャスター３の係止片１５を係止させる際に、跨がって係止させる孔を選択することができ、それによって上述のように根鉢側面用支持体２をアジャスター３に対して高さ調節しつつ取り付けることができるという利点がある。
また、折曲線部１２の位置に最上部の孔１０ａを穿設していることで、支持体頭部２ａを支持体銅部２ｂに対して折り曲げる作業を容易に行えるという利点が得られたが、折曲線部１２の位置に孔１０ａを穿設することも本発明に必須の条件ではない。
【００４１】
さらに、上記実施形態では、折曲線部１２を介して支持体頭部２ａを支持体銅部２ｂに対して折曲可能に構成されていたため、その折曲線部１２を根鉢の肩部に位置させ、根鉢の側面部から上面部に跨がるような状態で当接させることができ、根鉢をより確実に固定することができるという好ましい効果が得られたが、このような折曲線部１２を形成することは本発明に必須の条件ではない。
【００４２】
さらに上記実施形態では、アジャスター３が、固定部材５の枠杆７に外嵌できるような大きさの円筒状に形成されたアジャスター軸部１３と、該アジャスター軸部１３に固着されたアジャスターフレーム１４とで構成されていたため、移動部材の移動方向と交差する方向にアジャスター３を傾倒させるような構造を、きわめて簡単な構造で実現することができ、またアジャスター軸部を中心としてアジャスターフレームを回動させるだけでアジャスターを傾倒させることができるので、その傾倒させる作業を容易に行うことができるという好ましい効果が得られたが、アジャスターの構成も該実施形態に限定されるものではなく、要は、アジャスター３が固定部材５に対し、移動部材６の移動方向と交差する方向に傾倒可能に構成されていればよいのである。
【００４３】
また、上記実施形態では１本の支持ベルト４を４個の根鉢側面用支持体２に架け回すことによって根鉢の上面部を支持することとしたが、これに限らず、たとえば樹木の根元部に支持リングを巻装させ、その支持リングと根鉢側面用支持体２とに支持ベルト４を１本ずつ架け渡して支持することも可能である。
【００４４】
さらに上記実施形態では、植穴内に根鉢を埋め、土で閉塞して樹木を支持する、いわゆる地下支柱の施工を行う場合について説明したが、これに限らず、たとえば屋上庭園における樹木の支持施工に本発明を適用することも可能である。また一般の地盤の他、人工地盤における樹木の支持施工に本発明を適用することも可能である。
【図面の簡単な説明】
【００４５】
【図１】一実施形態としての根鉢用固定用具の根鉢用載置体の概略平面図。
【図２】根鉢用載置体の移動部材を移動させた状態の概略平面図。
【図３】図１のＡ−Ａ線拡大端面図。
【図４】移動部材の先端側を示す要部拡大側面図。
【図５】根鉢側面用支持体の正面図。
【図６】同側面図。
【図７】アジャスターの正面図。
【図８】同側面図。
【図９】支持ベルトの側面図。
【図１０】アジャスターを固定部材の枠杆に取り付けた状態の一部断面正面図。
【図１１】同全体の状態の概略平面図。
【図１２】同全体の状態の概略側面図。
【図１３】アジャスターを傾倒させた状態の一部断面正面図。
【図１４】同全体の状態の概略平面図。
【図１５】根鉢側面用支持体にアジャスターを取り付けた状態の一部断面正面図。
【図１６】同全体の状態の概略平面図。
【図１７】同全体の状態の概略側面図。
【図１８】アジャスター及び根鉢側面用支持体を傾倒させた状態の一部断面正面図。
【図１９】根鉢を固定部材上に載置した状態の要部側面図。
【図２０】根鉢側面用支持体を根鉢に接触させた状態の要部側面図。
【図２１】同全体の状態を示す概略側面図。
【図２２】支持ベルトを根鉢側面用支持体に架け渡した状態を示す概略平面図。
【符号の説明】
【００４６】
１…根鉢用載置体              ２…根鉢側面用支持体
２ａ…支持体頭部              ２ｂ…支持体胴部
３…アジャスター            １２…折曲線部
１３…アジャスター軸部        １４…アジャスターフレーム           
【図１】
2007222104.tif 000003
【図２】
2007222104.tif 000004
【図３】
2007222104.tif 000005
【図４】
2007222104.tif 000006
【図５】
2007222104.tif 000007
【図６】
2007222104.tif 000008
【図７】
2007222104.tif 000009
【図８】
2007222104.tif 000010
【図９】
2007222104.tif 000011
【図１０】
2007222104.tif 000012
【図１１】
2007222104.tif 000013
【図１２】
2007222104.tif 000014
【図１３】
2007222104.tif 000015
【図１４】
2007222104.tif 000016
【図１５】
2007222104.tif 000017
【図１６】
2007222104.tif 000018
【図１７】
2007222104.tif 000019
【図１８】
2007222104.tif 000020
【図１９】
2007222104.tif 000021
【図２０】
2007222104.tif 000022
【図２１】
2007222104.tif 000023
【図２２】
2007222104.tif 000024